(57)【特許請求の範囲】
【請求項１】
周側壁に油流入口を有するとともに、上下部に互いに対向する上部開口部および下部開口部を有するフィルタヘッドと、
前記フィルタヘッドの上部開口部に開閉可能に設けられたカバーと、
前記フィルタヘッドの下部開口部に上端開口が連結され、前記フィルタヘッドの内部と連通するとともに、油流出口を有するフィルタケースと、
前記フィルタケースの内部に該フィルタケースの底部に支持した状態で、着脱可能に設けられ前記油流入口から流入された油を内側から外側に通過させて前記油流出口から流出させ、油中に含有する異物を捕捉する上部開口の円筒状のフィルタエレメントと、
前記フィルタエレメントに固定され、前記フィルタヘッドの下部開口部と対向する開口部を有し、外周部は前記フィルタヘッドの内周部とシール部材によって液密にシールされたエレメントプレートとからなり、
前記フィルタヘッドの側壁に、前記エレメントプレートの開口をバイパスしてフィルタエレメントの外側と連通するリリーフポートおよびこのリリーフポートにエレメント保護用のリリーフバルブを設け、前記リリーフポートおよびリリーフバルブを前記フィルタヘッドの上下部開口部より外側に退避して位置させ、
前記フィルタエレメントは、前記エレメントプレートとともに前記フィルタヘッドの上部開口部から着脱可能であることを特徴とする油圧システム用リターンフィルタ装置。
【発明の詳細な説明】
【０００１】
【発明の属する技術分野】
この発明は、例えば建設機械等に搭載される油圧システム用リターンフィルタ装置に関する。
【０００２】
【従来の技術】
建設機械等に搭載される従来の油圧システム用リターンフィルタ装置は，図２に示すように構成されている。すなわち，図中１はフィルタヘッドであり，フィルタヘッド１の側壁には油流入口２が設けられている。フィルタヘッド１には油流入口２と直角方向に開口する接続筒体３が一体に設けられている。接続筒体３には円筒状のフィルタケース４の上端開口が嵌合固定され、このフィルタケース４の下部には油流出口５が設けられている。
【０００３】
接続筒体３の内周面には段差部６が設けられ，この段差部６にはバルブ支持筒体７のフランジ部８が係止され，バルブ支持筒体７は接続筒体３の内部に同心的に支持されている。
【０００４】
バルブ支持筒体７の下方にはフィルタケース４の内部に収納された円筒状のフィルタエレメント９が設けられている。このフィルタエレメント９の上端部はバルブ支持筒体７に嵌着された上部プレート１０によって支持され，下端部はフィルタエレメント９の下端開口を閉塞する下部プレート１１が設けられている。
【０００５】
フィルタエレメント９の軸心部にはセンターシャフト１２がその内部を貫通して設けられ，このセンターシャフト１２の下端部は下部プレート１１に支持されている。センターシャフト１２の上端部はバルブ支持筒体７を貫通してフィルタヘッド１の内部まで延長し，上端部にはねじ部１３が形成されている。
【０００６】
センターシャフト１２のねじ部１３には上下方向に湾曲する板ばね部材１４がダブルナット１５によって固定され，この板ばね部材１４はバルブ支持筒体７のフランジ部８とフィルタヘッド１の開口１６を閉塞するカバー１７との間に圧縮状態に介在されている。従って，バルブ支持筒体７は板ばね部材１４のばね力によって段差部６に押圧されている。
【０００７】
さらに，バルブ支持筒体７のフランジ部８の一部にはリリーフポート１８が穿設され，このリリーフポート１８にはバルブ支持筒体７に上下動自在に嵌合されたリリーフバルブ１９が設けられている。このリリーフバルブ１９はバルブ支持筒体７を囲繞するように設けられたコイルスプリング２０によってリリーフポート１８を閉塞する方向に付勢されている。
【０００８】
従って，センターシャフト１２には上下部プレート１０，１１を含むフィルタエレメント９，リリーフバルブ１９を含むバルブ支持筒体７が一体的に設けられ，カバー１７を取外して板ばね部材１４を取外すことにより、開口１６から一体的に引き出すことができるように構成されている。
【０００９】
前述のように構成された油圧システム用リターンフィルタ装置によれば、油が油流入口２からフィルタヘッド１に流入すると，油はバルブ支持筒体７の内部を通ってフィルタエレメント９の内部に導かれた後，フィルタエレメント９を通過してフィルタケース４の内部を通って油流出口５へ導かれる。このとき，油に含有する異物はフィルタエレメント９によって捕捉される。
【００１０】
また、油流入口２からフィルタヘッド１に流入する油圧力が高く，リリーフポート１８を介してリリーフバルブ１９が受ける圧力がコイルスプリング２０の付勢力に勝ると，コイルスプリング２０が圧縮されてリリーフバルブ１９が後退し，リリーフポート１８が開口する。従って，フィルタヘッド１内の油はリリーフポート１８を介してフィルタエレメント９の外側のフィルタケース４を通って油流出口５に導かれ、フィルタエレメント９が保護されるようになっている。
【００１１】
【発明が解決しようとする課題】
ところで、前述のように構成された油圧システム用リターンフィルタ装置は、フィルタエレメント９を定期的に交換する必要があるが，その場合，まずカバー１７を取外したのち、センターシャフト１２から板ばね部材１４を取外してセンターシャフト１２を上方へ引き上げることにより，上下部プレート１０，１１を含むフィルタエレメント９，リリーフバルブ１９を含むバルブ支持筒体７を外部に取外している。従って，フィルタエレメント９の交換が面倒で多くの時間を費やしている。
【００１２】
また、バルブ支持筒体７を囲繞するようにコイルスプリング２０を設け，リリーフバルブ１９を付勢するように構成されているため，ばね外径が大きくなり，ばね係数を同じにするためには、ばね線径を太くする必要があり，構造的に複雑で，部品コストが高くなるという問題がある。
【００１３】
この発明は、前記事情に着目してなされたもので、この目的とするところは、フィルタエレメントの交換が簡単に行えるとともに，構造的に簡単でコストダウンを図ることができる油圧システム用リターンフィルタ装置を提供することにある。
【００１４】
【課題を解決するための手段】
この発明は、前記目的を達成するために、請求項１は、周側壁に油流入口２２を有するとともに、上下部に互いに対向する上部開口部２３および下部開口部２４を有するフィルタヘッド２１と、前記フィルタヘッド２１の上部開口部２３に開閉可能に設けられたカバー２６と、前記フィルタヘッド２１の下部開口部２４に上端開口が連結され、前記フィルタヘッド２１の内部と連通するとともに、油流出口３１を有するフィルタケース２７と、前記フィルタケース２７の内部に該フィルタケース２７の底部に支持した状態で、着脱可能に設けられ前記油流入口２２から流入された油を内側から外側に通過させて前記油流出口３１から流出させ、油中に含有する異物を捕捉する上部開口の円筒状のフィルタエレメント３２と、前記フィルタエレメント３２に固定され、前記フィルタヘッド２１の下部開口部２４と対向する開口部３６を有し、外周部は前記フィルタヘッド２１の内周部とシール部材３８によって液密にシールされたエレメントプレート３４とからなり、前記フィルタヘッド２１の側壁に、前記エレメントプレート３４の開口をバイパスしてフィルタエレメント３２の外側と連通するリリーフポート４０およびこのリリーフポート４０にエレメント保護用のリリーフバルブ４４を設け、前記リリーフポート４０およびリリーフバルブ４４を前記フィルタヘッド２１の上下部開口部２３，２４より外側に退避して位置させ、
前記フィルタエレメント３２は、前記エレメントプレート３４とともに前記フィルタヘッド２１の上部開口部２３から着脱可能であることを特徴とする。
【００１６】
請求項１によれば，フィルタヘッドの油流入口から油が流入すると，油圧力がフィルタプレートを介してフィルタエレメントに押圧力が加わるが，その力をフィルタケースの底部で受けることができる。従って、センターシャフト及び上下部プレートが不要となり，構成の簡素化を図ることができる。
【００１７】
さらに、フィルタヘッドの側壁に、リリーフポート及びエレメント保護用のリリーフバルブを設けることにより、フィルタエレメントの交換の際に、リリーフバルブに関係なく、フィルタエレメントのみを取り出すことができる。
【００１８】
【発明の実施の形態】
以下、この発明の実施の形態を図面に基づいて説明する。
【００１９】
図１は建設機械等に搭載される油圧システム用リターンフィルタ装置を示し，図中２１はアルミニウムダイキャスト等によって成形されたフィルタヘッドであり，フィルタヘッド２１の側壁には油流入口２２が設けられている。フィルタヘッド２１には油流入口２２と直角方向に開口する上部開口２３と下部開口２４が設けられている。
【００２０】
上部開口２３はボルト２５によってフィルタヘッド２１に固定されたカバー２６によって閉塞され，下部開口２４の開口縁部には円筒状のフィルタケース２７の上端開口に設けられたフランジ部２８がねじ２９によって固定されている。このフィルタケース２７の下端開口はアルミニウムダイキャスト等のプレートからなる底部３０によって閉塞されている。さらに、底部３０の外周縁部には油流出口３１が穿設されている。
【００２１】
また、フィルタケース２７の内部には円筒状のフィルタエレメント３２が同心的に収納されている。このフィルタエレメント３２は、油中に含有する異物を捕捉する筒状の濾過部材３３と、この濾過部材３３の上端開口端に設けられたエレメントプレート３４と，濾過部材３３の下端開口端に設けられた円板状で，中央部に円弧状の凸部３５ａを有する下部プレート３５とから構成されている。さらに、濾過部材３３の外周には無数の透孔を有する外筒３３ａによって覆われている。
【００２２】
フィルタエレメント３２を構成する下部プレート３５はフィルタケース２７の底部３０に支持されている。また、エレメントプレート３４は円環状で，フィルタヘッド２１の内部と濾過部材３３の内部とを連通する開口３６が設けられ，周縁部でフィルタヘッド２１の内部とフィルタケース２７の内部とを遮断している。さらに，エレメントプレート３４の外周部には環状溝３７が設けられ，この環状溝３７にはフィルタヘッド２１の内周部とを液密にシールするシール部材３８が収納されている。
【００２３】
さらに、エレメントプレート３４の上部には開口３６を跨ぐように取手３９が取り付けられ，取手３９を持ってフィルタエレメント２７を引き上げることができるようになっている。
【００２４】
また、油流入口２２と対向するフィルタヘッド２１の側壁にはエレメントプレート３４の開口３６をバイパスしてフィルタエレメント３２の外側で、フィルタケース２７の内側と連通するリリーフポート４０が設けられている。このリリーフポート４０を有する側壁にはバルブボックス４１によって囲繞され、内部にリリーフ通路４２が形成されている。
【００２５】
バルブボックス４１の内部にはバルブピン４３によってリリーフポート４０に対して進退自在なエレメント保護用のリリーフバルブ４４が設けられ，このリリーフバルブ４４はコイルスプリング４５によってリリーポート４０を閉塞する方向に付勢されている。
【００２６】
前述のように構成された油圧システム用リターンフィルタ装置によれば、油が油流入口２２からフィルタヘッド２１に流入すると，油はエレメントプレート３４の開口３６を通ってフィルタエレメント３２の内部に導かれた後，フィルタエレメント３２の濾過部材３３を通過してフィルタケース２７の内部を通って油流出口３１へ導かれる。このとき，油に含有する異物はフィルタエレメント３２の濾過部材３３によって捕捉される。
【００２７】
このとき、エレメントプレート３４は油圧力によって下方（矢印Ａ）に押圧力を受け、この押圧力によってフィルタエレメント３２も下方に押圧されるが、フィルタエレメント３２はフィルタケース２７の底部３０で支持される。
【００２８】
また、油流入口２２からフィルタヘッド２１に流入する油圧力が高く，リリーフポート４０を介してリリーフバルブ４４が受ける圧力がコイルスプリング４５の付勢力に勝ると，コイルスプリング４５が圧縮されてリリーフバルブ４４が後退し，リリーフポート４０が開口する。従って，フィルタヘッド２１内の油はリリーフポート４０からリリーフ通路４２を通ってフィルタエレメント３２の外側のフィルタケース２７を通って油流出口３１に導かれ、フィルタエレメント３２が保護される。
【００２９】
また、フィルタエレメント３２は定期的に交換する必要があるが、交換に際してはボルト２５を緩め、カバー２６をフィルタヘッド２１から取外す。次に、上部開口２３から手を入れ、取手３９を持って引き上げることにより、エレメントプレート３４を含むフィルタエレメント３２を外部に取出すことができ、フィルタエレメント３２の交換作業が容易に行なえるという効果がある。
【００３０】
また、フィルタヘッド２１の側壁に、リリーフポート４０及びエレメント保護用のリリーフバルブ４４を設けることにより，フィルタエレメント３２の交換の際に，リリーフバルブ４４に関係なく、フィルタエレメント３２のみを取出すことができる。
【００３１】
しかも、フィルタヘッド２１の側壁に、リリーフポート４０及びエレメント保護用のリリーフバルブ４４を設けることにより、コイルスプリング４５のばね外径を小さくでき、ばね線径を細くできるため、部品の小型化、部品コストの低減を図ることができる。
【００３２】
【発明の効果】
以上説明したように、請求項１によれば、フィルタヘッドの油流入口から油が流入すると、油圧力がエレメントプレートを介してフィルタエレメントに押圧力が加わるが、その力をフィルタケースの底部で受けることができる。従って、センターシャフト及び上下部プレートが不要となり、構成の簡素化を図ることができるという効果がある。さらに、フィルタヘッドの上部開口部のカバーを取り外すことにより、フィルタエレメントをエレメントプレートとともにフィルタヘッドの上部開口部から引き上げることができる。したがって、フィルタエレメントの着脱が簡単に行えることができるという効果がある。
【００３３】
請求項２によれば，フィルタヘッドの側壁に、リリーフポート及びエレメント保護用のリリーフバルブを設けることにより，フィルタエレメントの交換の際に，リリーフバルブに関係なく、フィルタエレメントのみを取出すことができるとともに、部品の小型化、部品コストの低減を図ることができるという効果がある。
【図面の簡単な説明】
【図１】この発明の第１の実施形態を示す油圧システム用リターンフィルタ装置の縦断側面図。
【図２】従来の油圧システム用リターンフィルタ装置の縦断側面図。
【符号の説明】
２１…フィルタヘッド
２２…油流入口
２７…フィルタケース
３０…底部
３１…油流出口
３２…フィルタエレメント
３３…濾過部材
３４…フィルタプレート
３６…開口
３８…シール部材
４０…リリーフポート
４４…リリーフバルブ
４５…コイルスプリング
【図１】
0004299932.tif 000002
【図２】
0004299932.tif 000003